(57)【特許請求の範囲】
【請求項１】
外側片と内側片で形成される帯状袋と、この帯状袋内に設けられ、流体の出入により膨張・収縮する流体袋と、前記帯状袋内で前記流体袋の外側に両面テープにより固定され、流体袋の外側への膨らみを抑えると共に所定の湾曲形状を弾性的に保持する可撓性のクリップ板とを備え、前記流体袋の端部に前記流体を入れないダミー部分を設け、このダミー部分と前記外側片及び内側片とを一体に固定したことを特徴とする生体圧迫装置。
【発明の詳細な説明】
【０００１】
【発明の属する技術分野】
本発明は、測定部位として例えば上腕や手首に巻回し、その測定部位を圧迫して血圧を測定するのに使用する生体圧迫装置に関する。
【０００２】
【従来の技術】
従来、その種の生体圧迫装置は、図４（全体斜視図）に示すようなものである。この生体圧迫装置７０は、非伸縮性の外側片７１と、この外側片７１よりも伸縮性の内側片７２と、外側片７１及び内側片７２で形成された帯状袋の内部に設けられた空気袋７３と、空気袋７３の外側に固定されて空気袋７３の外側への膨らみを抑えると共に、所定の湾曲形状を弾性的に保持する可撓性のクリップ板７４とを備える。外側片７１及び内側片７２にはそれぞれ面ファスナ７５，７６が設けられ、この面ファスナ７５，７６により生体圧迫装置７０を測定部位に巻付状態で固定する。
【０００３】
このような生体圧迫装置７０は、例えば図５に示すような手首血圧計に装備され、血圧計本体８０に取付けられる。
【０００４】
【発明が解決しようとする課題】
このような生体圧迫装置７０では、空気袋７３を帯状袋内で固定するためと、空気袋７３とクリップ板７４を帯状袋内に挿入する際の挿入性等の生産性を向上させるために、空気袋７３とクリップ板７４は、空気袋７３の両端部にそれぞれ設けられた両面テープ７７により一体に接着されている。
【０００５】
ところで、このような生体圧迫装置７０を血圧計に搭載した場合、血圧測定値の信頼性を向上させるためには、空気袋７３の膨らみを阻害しないように帯状袋の生体側（内側片７２）の伸縮性を高める必要がある。しかしながら、その要求に応じるため空気袋７３とクリップ板７４を両面テープ７７だけで接着した場合は、空気袋７３の固定が不十分となり、血圧測定値の信頼性が低下するという問題がある。
【０００６】
本発明は、そのような従来の問題点に着目してなされたもので、生体側の内側片の伸縮性を十分に確保しながらも空気袋が十分に固定される生体圧迫装置を提供することを目的とする。
【０００７】
【課題を解決するための手段】
前記目的を達成するために、本発明の生体圧迫装置は、外側片と内側片で形成される帯状袋と、この帯状袋内に設けられ、流体（空気、水等）の出入により膨張・収縮する流体袋と、前記帯状袋内で前記流体袋の外側に両面テープにより固定され、流体袋の外側への膨らみを抑えると共に所定の湾曲形状を弾性的に保持する可撓性のクリップ板とを備え、前記流体袋の端部に前記流体を入れないダミー部分を設け、このダミー部分と前記外側片及び内側片とを一体に固定したことを特徴とする。
【０００８】
この装置では、流体袋のダミー部分が外側片と内側片に固定されているので、装置の生体側である内側片の伸縮性を十分に確保できる上に、流体袋も帯状袋内に十分に固定される。従って、この装置を血圧計に装備した場合、血圧測定値の信頼性が向上する。
【０００９】
流体袋のダミー部分と外側片及び内側片とを一体に固定する方法としては、以下の実施形態でも記載する共縫いの他に、接着剤による固着、熱溶着等、外側片、内側片、流体袋の材質等に応じて適宜選定すればよい。
【００１０】
なお、本発明において、外側片は非伸縮性を有するもので、例えばナイロン糸の布に塩化ビニルをラミネートしたものを用い、内側片は外側片よりも伸縮性を有するもので、例えばウレタン糸の布を用いる。
【００１１】
【発明の実施の形態】
以下、本発明を実施の形態に基づいて説明する。
【００１２】
その一実施形態に係る生体圧迫装置の概略縦断面図を図１に示す。この生体圧迫装置１０は、非伸縮性の外側片１１と、この外側片１１よりも伸縮性を有する内側片１２とで形成される帯状袋内に、空気の出入により膨張・収縮する空気袋（流体袋）１３と、この空気袋１３の外側に固定され、空気袋１３の外側への膨らみを抑えると共に所定の湾曲形状を弾性的に保持する可撓性のクリップ板１４とを備える。空気袋１３とクリップ板１４は、２片の両面テープ１７で互いに接着されている。また、外側片１１の一端部の表面に面ファスナ１５が、内側片１２の一端部の表面に面ファスナ１６がそれぞれ設けられ、この面ファスナ１５，１６により生体圧迫装置１０を測定部位に巻付状態で固定する。
【００１３】
この生体圧迫装置１０の空気袋１３は、図２に示すように、従来どおりに空気を入れる部分２０の他に、空気を入れないダミー部分２１を有する。ダミー部分２１は部分２０に連続しており、部分２０，２１の全周と部分２０，２１の境界とは溶着部分２２になっている。また、部分２０にはニップル２３が設けられており、例えば血圧計本体から空気を部分２０に送気又は排気するためのチューブがニップル２３に接続される。
【００１４】
この空気袋１３は、図３に示すように、外側片１１と内側片１２とで形成された帯状袋において、第１の外側片１２と第２の外側片１６との継ぎ目３０から、両面テープ１７によりクリップ板１４と一体に接着した状態のまま帯状袋内に挿入する。そして、空気袋１３のダミー部分２１と外側片１１及び内側片１２とを、例えば共縫い３１により一体に固定する。
【００１５】
このように構成した生体圧迫装置１０では、生体に接する内側片１２は、その材質の持つ十分な伸縮性を発揮し、空気袋１３の膨らみが阻害されない。これに加えて、空気袋１３は、そのダミー部分２１を通じて外側片１１と内側片１２に共縫い３１が施されているので、帯状袋に十分に固定される。この結果、この装置１０を血圧計に装備した場合には、血圧測定値の信頼性が向上する。
【００１６】
【発明の効果】
以上説明したように、本発明の生体圧迫装置によれば、流体袋のダミー部分が帯状袋の外側片と内側片に固定されているので、装置内の流体袋の膨らみを阻害しないように装置の生体側である内側片の伸縮性を十分に確保できる上に、流体袋も帯状袋内に十分に固定される。従って、この装置を血圧計に装備した場合、血圧測定値の信頼性が向上する。
また、流体袋とクリップ板とが両面テープにより固定されているため、流体袋とクリップ板を帯状袋内に挿入する際の挿入性等の生産性を向上させることができるだけでなく、流体袋の帯状袋内での固定がより十分に行われる。
【図面の簡単な説明】
【図１】一実施形態に係る生体圧迫装置の概略縦断面図である。
【図２】同生体圧迫装置に使用される空気袋の斜視図である。
【図３】同生体圧迫装置の生体接触側を示す斜視図である。
【図４】一般的な生体圧迫装置の一例を示す斜視図である。
【図５】図４のような生体圧迫装置を装備した手首血圧計の斜視図である。
【符号の説明】
１０    生体圧迫装置
１１    外側片
１２    内側片
１３    空気袋（流体袋）
１４    クリップ板
１７    両面テープ
２０    空気袋の空気を入れる部分
２１    空気袋の空気を入れないダミー部分
３１    共縫い
【図１】
0003678104.tif 000002
【図２】
0003678104.tif 000003
【図３】
0003678104.tif 000004
【図４】
0003678104.tif 000005
【図５】
0003678104.tif 000006